(57)【特許請求の範囲】
【請求項１】
平行に配された一対のスクリューと、
一端に開口部を有し、前記スクリューを内部に収容可能なバレルと、
前記バレルの前記開口部側に整流板及び濾過網を介して配設された押出成形用の口金と
を備える二軸押出機であって、
前記スクリューは、
第一スクリュー軸、及び、前記第一スクリュー軸に沿って螺旋形状に形成された一条スクリュー羽根部を有する第一スクリュー部と、
前記第一スクリュー部の一端から前記バレルの前記開口部に向かって延設され、前記第一スクリュー軸と接続された第二スクリュー軸、及び、前記第二スクリュー軸に沿って螺旋形状に形成された二条スクリュー羽根部を有する第二スクリュー部と
を備え、
前記第二スクリュー部は、
前記二条スクリュー羽根部の羽根周縁から前記第二スクリュー軸に向かって凹設されたスリットを更に有する二軸押出機。
【請求項２】
前記第二スクリュー部は、
前記開口部から前記バレルの他端に向かって少なくとも一ピッチ分以上の幅で形成されている請求項１に記載の二軸押出機。
【請求項３】
前記スリットは、
前記羽根周縁に等間隔で形成されている請求項１または２に記載の二軸押出機。
【請求項４】
前記スリットの前記羽根周縁からスリット底端までのスリット深さは、
前記第二スクリュー軸の軸表面から前記羽根周縁までの高さに対し、５０〜５５％の範囲に設定される請求項１〜３のいずれか一項に記載の二軸押出機。
【請求項５】
前記スリットのスリット幅は、
互いに隣接するスリットの間のスリットピッチに対し、３０〜３５％の範囲に設定される請求項１〜４のいずれか一項に記載の二軸押出機。
【発明の詳細な説明】
【技術分野】
【０００１】
本発明は、二軸押出機に関する。更に詳しくは、ハニカム構造体を製造するためのハニカム成形体の押出成形工程に使用される平行に配された一対のスクリューを備える二軸押出機に関する。
【背景技術】
【０００２】
従来、セラミックス製ハニカム構造体は、自動車排ガス浄化用触媒担体、ディーゼル微粒子除去フィルタ、或いは燃焼装置用蓄熱体等の広範な用途に使用されている。セラミックス製ハニカム構造体（以下、単に「ハニカム構造体」と称す。）は、セラミックス原料を調整し坏土化した成形材料を二軸押出機を用いて成形する押出成形工程と、押出成形されたハニカム成形体を乾燥した後、所定の焼成条件で焼成する焼成工程とを経て製造されている。
【０００３】
ここで、ハニカム成形体を得るための押出成形用の装置として、例えば、図６に示すような、二軸押出機が広く用いられている（特許文献１参照）。この二軸押出機１００は、左右に並設された一対のスクリュー１０１を内部に収容し、一端側に開口部１０２を有するバレル１０３と、バレル１０３の開口部１０２側に整流板１０４及び濾過網１０５（スクリーン）を介して配された押出成形用の口金１０６を備えるものである。
【０００４】
ここで、バレル１０３及び口金１０６の間に設置された整流板１０４には、バレル１０３の開口部１０２から押し出された成形材料の通過する貫通孔１０７が設けられており、成形材料の挙動を整えるためのものである。一方、濾過網１０５は、メッシュ状の素材で形成され、成形材料に混入した粗粒やその他夾雑物を除去し、口金１０６に送られる成形材料を安定させるものである。また、口金１０６には、成形材料から所望形状のハニカム成形体を押し出すために、当該ハニカム成形体の隔壁の隔壁厚さに対応する口金のスリット（図示しない）が設けられている。
【０００５】
上記二軸押出機１００を用いることにより、バレル１０３の上流側に接続された材料投入部１０８から、バレル１０３の内部空間に成形材料が導入される。バレル１０３の成形材料は、モータ及びギアボックス等で構成された駆動装置１０９とそれぞれ接続された一対のスクリュー１０１の回転によってせん断力を付与されながら混練され、開口部１０２側まで搬送される。そして、バレル１０３の開口部１０２から整流板１０４の貫通孔１０７に連続的に押し出される。
【０００６】
押し出された成形材料は、整流板１０４の貫通孔１０７を通過し、整流板１０４と離間して配置された濾過網１０５の間の第一空間１１０に到達する。この第一空間１１０が成形材料で満たされると、当該成形材料は濾過網１０５を通過し、濾過網１０５と口金１０６との間の第二空間１１１に到達する。上記と同様にこの空間が成形材料で満たされると、当該成形材料は口金１０６の内部に導入される。これにより、口金のスリットを通じて成形材料が押し出され、所望の形状のハニカム成形体が得られる。
【０００７】
このとき、二軸押出機１００に使用される一対のスクリュー１０１は、略棒状のスクリュー軸１１２と、当該スクリュー軸に沿って螺旋形状に形成されたスクリュー羽根部１１３とを備えている。なお、図５において、上記スクリュー１０１の構成は簡略化して図示している。ここで、スクリュー１０１のスクリュー羽根部１１３は、所謂“一条”のスクリューである。すなわち、スクリュー１０１を一回転させたときに軸方向（図６における紙面左右方向）に沿って成形材料を開口部１０２側へ押し出す、当該成形材料の移動距離（リード）と、スクリュー羽根部１１３の間隔（ピッチ）とが等しいものである。
【０００８】
一対のスクリュー１０１を定速で軸回転させることにより、バレル１０３内の成形材料の押出量を安定させ、整流板１０４及び濾過網１０５を介して口金１０６に送ることができ、ハニカム成形体を得ることができる。
【先行技術文献】
【特許文献】
【０００９】
【特許文献１】特開２００８−１１４４１４号公報
【発明の概要】
【発明が解決しようとする課題】
【００１０】
しかしながら、上記の従来から使用されている二軸押出機の場合、下記に掲げる不具合を生じることがあった。ここで、整流板の貫通孔部は、左右に並設されたスクリューの間の中心に設置されている。そのため、一対のスクリューを回転させた場合、バレルの開口部と密接配置された整流板の貫通孔に導入される成形材料の押出量に偏りを生じることがあった。
【００１１】
すなわち、互いに同期して回転する一対のスクリューによって、成形材料の押出方向に直交し、かつ、水平方向または鉛直方向から所定の角度だけ斜めに偏位した方向、換言すれば、ハニカム成形体の成形体端面に相対し、斜め右上位置及び斜め左下位置（或いは、斜め左上位置及び斜め右下位置）の成形材料の押出量が多くなることがあった。
【００１２】
上記の二箇所（二方向）からの成形材料の押出量が多くなるため、整流板、濾過網を通り、最終的に口金から押し出されたハニカム成形体の成形体端面の形状が、斜め右上及び斜め右下にそれぞれ伸長した、楕円形状に変形することがあった。そのため、当初設計された真円形状の成形体端面とならず、最終的に製品となるハニカム構造体の寸法精度が著しく低下することがあった。
【００１３】
上記不具合を解消するために、例えば、押出量の偏った成形体端面の各部位に対応する口金のそれぞれの領域に対し、成形材料の押出量を調整する作業を行う必要があった。しかしながら、係る調整作業は煩雑であり、かつ調整作業に多くの時間が必要となった。その結果、ハニカム構造体の製造効率を著しく低下させる可能性があった。
【００１４】
一方、口金の上流側に配置された整流板の貫通孔の孔径や形状等を調整したり、或いは押出成形時の押出条件を変化させたりすることで、上記成形体端面の形状を安定させる試みも行われている。しかしながら、上記と同様に、これらの調査作業も煩雑、かつ調整作業に多くの時間が必要となることがあった。
【００１５】
そこで、本発明は、上記実情に鑑みてなされたものであり、二軸押出機によるハニカム成形体の押出成形工程において、成形体端面の形状精度の安定性を保つことが可能な二軸押出機の提供を課題とするものである。
【課題を解決するための手段】
【００１６】
本発明によれば、上記課題を解決した二軸押出機が提供される。
【００１７】
［１］  平行に配された一対のスクリューと、一端に開口部を有し、前記スクリューを内部に収容可能なバレルと、前記バレルの前記開口部側に整流板及び濾過網を介して配設された押出成形用の口金とを備える二軸押出機であって、前記スクリューは、第一スクリュー軸、及び、前記第一スクリュー軸に沿って螺旋形状に形成された一条スクリュー羽根部を有する第一スクリュー部と、前記第一スクリュー部の一端から前記バレルの前記開口部に向かって延設され、前記第一スクリュー軸と接続された第二スクリュー軸、及び、前記第二スクリュー軸に沿って螺旋形状に形成された二条スクリュー羽根部を有する第二スクリュー部とを備え、前記第二スクリュー部は、前記二条スクリュー羽根部の羽根周縁から前記第二スクリュー軸に向かって凹設されたスリットを更に有する二軸押出機。
【００１８】
［２］  前記第二スクリュー部は、前記開口部から前記バレルの他端に向かって少なくとも一ピッチ分以上の幅で形成されている前記［１］に記載の二軸押出機。
【００１９】
［３］  前記スリットは、前記羽根周縁に等間隔で形成されている前記［１］または［２］に記載の二軸押出機。
【００２０】
［４］  前記スリットの前記羽根周縁からスリット底端までのスリット深さは、前記第二スクリュー軸の軸表面から前記羽根周縁までの高さに対し、５０〜５５％の範囲に設定される前記［１］〜［３］のいずれかに記載の二軸押出機。
【００２１】
［５］  前記スリットのスリット幅は、互いに隣接するスリットの間のスリットピッチに対し、３０〜３５％の範囲に設定される前記［１］〜［４］のいずれかに記載の二軸押出機。
【発明の効果】
【００２２】
本発明の二軸押出機によれば、成形材料を押出成形し、ハニカム成形体を得る際に、成形材料の押出量の偏りを解消し、ハニカム成形体の成形体端面の形状精度を安定させることができる。
【００２３】
特に、押出方向後流部のスクリュー羽根部の羽根辺縁から切り込みを入れ、所定のスリット深さ及びスリット幅のスリットを凹設したことにより、開口部及び整流板の近傍の成形材料の一部を押出方向に対して逆流させることができる。その結果、成形材料が分散して押し出され、整流板に供給されることとなる。そのため、押出量に偏りが少なくなり、押出成形されるハニカム成形体の成形体端面の真円形状を改善することができる。
【００２４】
更に、押出方向後流部に二条スクリュー羽根部を有する第二スクリュー部を設けることで、バレルの開口部から整流板に流れ込む成形材料の押出位置（押出方向）が、従来の二箇所（二方向）から四箇所（四方向）に増える。その結果、成形材料が更に分散して押し出され、押出量の偏りが更に少なくなり、押出成形されるハニカム成形体の成形体端面の真円形状を保つことができる。
【００２５】
これにより、成形材料によって開口部及び整流板に加わる押出圧力を軽減させることができる。その結果、押出圧力が過剰となり、成形材料の押出量が変動することがなく、安定した成形材料の押出が可能となる。
【図面の簡単な説明】
【００２６】
【図１】本発明の一実施形態の二軸押出機の概略構成を示す模式図である。
【図２】二軸押出機に使用される第二スクリュー部の概略構成を示す軸方向から視た説明図である。
【図３】第二スクリュー部の概略構成を示す斜視図である。
【図４】ハニカム成形体の真円度の測定位置を示す説明図である。
【図５】一対のスクリューによる押出位置と、整流板の貫通孔とを模式的に示す説明図である。
【図６】従来の二軸押出機の概略構成を示す模式図である。
【発明を実施するための形態】
【００２７】
以下、図面を参照しつつ本発明の二軸押出機の実施の形態について詳述する。なお、本発明の二軸押出機は、以下の実施の形態に限定されるものではなく、本発明の範囲を逸脱しない限りにおいて、種々の設計の変更、修正、及び改良等を加え得るものである。
【００２８】
本発明の一実施形態の二軸押出機１は、図１〜図３、及び図５に示すように、平行に配された一対のスクリュー２と、一端に開口部３を有し、スクリュー２を内部に収容可能なバレル４と、バレル４の開口部３側に整流板５及び濾過網６を介して配設された押出成形用の口金９とを備えている。
【００２９】
更に詳しく説明すると、一対のスクリュー２は、バレル４の内部に平行に並設された同一形状のものであり、第一スクリュー部７と、第二スクリュー部８とをそれぞれ備えている。第一スクリュー部７は、略棒状の第一スクリュー軸７ａ及び第一スクリュー軸７ａに沿って軸表面７ｂに螺旋形状に形成された一条スクリュー羽根部７ｃを備えている。
【００３０】
一方、第二スクリュー部８は、第一スクリュー部７の一端からバレル４の開口部３側に向かって延設され、第一スクリュー軸７ａと軸方向を一致させて接続された略棒状の第二スクリュー軸８ａ、及び、第二スクリュー軸８ａに沿って軸表面８ｂに螺旋形状に形成された二条スクリュー羽根部８ｃを備えている。なお、図１において、第一スクリュー部７及び第二スクリュー部８のそれぞれの構成は、簡略化して図示している。
【００３１】
ここで、第二スクリュー部８は、二条スクリュー羽根部８ｃの羽根周縁８ｄから第二スクリュー軸８ａの軸表面８ｂに向かって切り込まれ、凹設された複数のスリット１０を有している。複数のスリット１０は、二条スクリュー羽根部８ｃの羽根周縁８ｄに沿って等間隔で配置されている。すなわち、第二スクリュー軸８ａの軸方向に相対して視た場合、互いに隣接するそれぞれのスリット１０の間の角度（スリット間角度θ）が同一の角度となるように設定されている。
【００３２】
スリット１０は、羽根周縁８ｄから略矩形状に略逆台形状に切り込まれたものであり、羽根周縁８ｄからスリット１０のスリット底端１０ａまでのスリット深さＨ１は、第二スクリュー軸８ａの軸表面８ｂから羽根周縁８ｄまでの高さである羽根高さＨ２と比較し、５０〜５５％の範囲となるように設定されている（図２参照）。すなわち、“スリット深さＨ１／羽根高さ×１００”の関係式で算出される値が上記数値限定した範囲となる。
【００３３】
更に、第一スクリュー部７は、上述の通り、一条スクリュー羽根部７ｃを有している。そのため、第一スクリュー部７が軸心に従って一回転した場合、当該第一スクリュー部７の回転に伴って押し出される成形材料（図示しない）の移動距離であるリードＬ１（ｌｅａｄ）は、一条スクリュー羽根部７ｃの各羽根の間の距離であるピッチＰ１（ｐｉｔｃｈ）と同一である（図１参照）。すなわち、第一スクリュー部７が一回転する間に、成形材料は１ピッチ分だけ開口部３に向かって進むことになる。
【００３４】
これに対し、第二スクリュー部８は、上述の通り、二条スクリュー羽根部８ｃを有している。第二スクリュー部８が軸心に従って一回転した場合、当該第二スクリュー部８の回転に伴って押し出される成形材料の移動距離であるリードＬ２は、二条スクリュー羽根部８ｃの各羽根の間の距離であるピッチＰ２の二倍となる（図２参照）。すなわち、第二スクリュー部８が一回転する間に成形材料は２ピッチ分だけ開口部３に向かって進むことになる。
【００３５】
なお、第一スクリュー部７及び第二スクリュー部８は、一回転当たりのリードＬ１，Ｌ２の違いのみであり、その他の形状は同一である。したがって、第一スクリュー部７及び第二スクリュー部８のスクリュー径Ｈ３、及び、スクリュー軸７ａ，８ａの対向する軸表面７ｂ，８ｂ間の距離（軸径に相当）はいずれも同一である。
【００３６】
ここで、本実施形態の二軸押出機１において、スクリュー２における第二スクリュー部８の占める比率は任意に設定することができる。但し、成形材料の押出方向に対し、スクリュー２のバレル４の開口部３から一定の長さを有する必要がある。
【００３７】
具体的には、開口部３からバレル４の後端（図１における紙面左側に相当）に向かって、少なくとも一ピッチ分以上の幅で第二スクリュー部８が構成されていればよい。ここで、第二スクリュー部８が開口部３から少なくとも一ピッチ以上の幅でないと、本発明の二軸押出機による効果を十分に享受することができない（詳細は後述する。）。
【００３８】
一方、スリット１０のスリット幅Ｗ１は、互いに等間隔で隣接する一対のスリット１０の間のスリットピッチＷ２に対し、３０〜３５％の範囲に設定されている（図３参照）。すなわち、“スリット幅Ｗ１／スリットピッチＷ２×１００”の式で算出される値が上記範囲となる。
【００３９】
本実施形態の二軸押出機１におけるバレル４の開口部３の内周形状は、図５に示すように、同径の二つの円Ｃ１，Ｃ２をその一部が重なるように結合させた形状であり、二つの円Ｃ１，Ｃ２の中心がバレル４におけるそれぞれのスクリュー２（第一スクリュー部７，第二スクリュー部８）のスクリュー軸７ａ，８ａの軸心に一致する。
【００４０】
バレル４の開口部３における二つの円Ｃ１，Ｃ２のそれぞれの内径は、スクリュー部７，８のスクリュー径Ｈ３より僅かに大きく形成されている。このとき、回転時にスクリュー羽根部７ｃ，８ｃが互いに干渉しないように、スクリュー部７，８がそれぞれ取り付けられている。
【００４１】
このような二つの円Ｃ１，Ｃ２を結合した形状のバレル４の開口部３に対し、中央付近に貫通孔１１を有する整流板５が密接配置されている。なお、本実施形態の二軸押出機１において、図１等で示した整流板５はその一例であり、これに限定されるものではない。すなわち、貫通孔１１の数、位置、及びその形状等については任意に設定することができる。
【００４２】
また、整流板５の下流側で、かつ口金９の上流側に配置される濾過網６は、成形材料中の夾雑物等を除去するものであり、例えば、メッシュ孔径が６５〜４２０μｍ程度の網製素材（メッシュ素材）を用いることができる。なお、上記整流板５及び濾過網６は、従来から周知の構成であるため、その詳細についての説明省略する。
【００４３】
ここで、整流板５及び濾過網６の間には第一空間１２が設けられ、更に、濾過網６及び口金９の間には第二空間１３が設けられている。これにより、押し出された成形材料は、それぞれの空間１２，１３に一時的に貯留され、更なる押出によって下流側に移動することになる。
【００４４】
更に、本実施形態の二軸押出機１は、その他の構成として、平行に並設された一対のスクリュー２をそれぞれ同期させ、予め規定された押出圧力となるように回転数を制御して回転させるための、モータ及びギアボックス（図示しない）等を含む駆動装置１４が、バレル４の後端側に設置されている。また、バレル４の他端側の近傍位置には、成形材料をバレル４内に投入するための材料投入部１５が設けられている。なお、その他の構成に関しては、従来の二軸押出機の構造をそのまま採用することができる。
【００４５】
上記構成を採用した二軸押出機１は、整流板５の上流側であり、バレル４の開口部３に近接する領域Ｒの範囲で、二条スクリュー羽根部８ｃを有する第二スクリュー部８が形成されている。
【００４６】
これにより、整流板５に送られる成形材料の押出位置を従来の二方向から四方向に増やすことができる。そのため、整流板５の貫通孔１１の周囲の四方向（図５の矢印（流れ方向Ａ１，Ａ２，Ａ３，Ａ４参照））から成形材料が主に流れ込むことになる。
【００４７】
その結果、成形材料が分散して押し出されるため、押出量に偏りが生じることがなく、押出成形されるハニカム成形体の寸法精度を安定させることができる。更に、寸法精度を安定させるための調整作業が微調整で済むため、作業者に過度の作業負担を強いることなく、かつ調整回数の縮小、及び調整時間の短縮化を図ることができる。
【００４８】
これにより、ハニカム構造体の製造効率が向上し、かつハニカム構造体の外観不良の発生率を抑えられる。なお、図４の流れ方向Ａ１等は、仮想的に示したものであり、必ずしもこの方向に押出方向が一致するものではない。
【００４９】
特に、第二スクリュー部８の二条スクリュー羽根部８ｃに設けられたスリット１０により、上記領域Ｒに多くの成形材料が滞留し、当該領域Ｒにおける圧力が高くなり過ぎるのを避けることができる。スクリュー２によってバレル４の内部の空間を押出方向Ｆ（図１及び図４参照）に沿って移動する成形材料は、開口部３に対して小径の整流板５の貫通孔１１を通過するために、上記のような成形材料の滞留が必然的に発生する。このとき、スクリュー２は連続的に回転しているため、バレル４の他端から成形材料は順次開口部３側に向かって送られる。その結果、領域Ｒの圧力が高くなりやすい。
【００５０】
本実施形態の二軸押出機１の場合、上記の通り、二条スクリュー羽根部８ｃの羽根周縁８ｄに沿って複数のスリット１０が等間隔で設けられている。そのため、圧力が高くなった領域Ｒにおいて、成形材料の一部が当該スリット１０を介して押出方向と逆方向に逆流することができる。これにより、領域Ｒにおける圧力の上昇を緩和することができる。そのため、整流板５の貫通孔１１に流れ込む成形材料の挙動を安定させることができる。
【００５１】
以下、本発明の二軸押出機について、下記の実施例に基づいて説明するが、本発明の二軸押出機は、これらの実施例に限定されるものではない。
【実施例】
【００５２】
（１）押出成形の実施
図１に示す本発明の二軸押出機を使用し、各種セラミックス原料を配合して調製された成形材料を押出成形し、円柱状のハニカム成形体２００（図４参照）を押出成形した。ここで、押出成形には、実施例１及び比較例１の二種類のスクリューを用いた。
【００５３】
実施例１のスクリューは、上述した本実施形態の二軸押出機に採用されたものであり、第一スクリュー部及び第二スクリュー部から構成されたものであり、その詳細は、スクリュー径Ｈ３：７０．５ｍｍ、羽根高さＨ２：１２．８ｍｍ、スリット幅比：３４％、スリット深さ比：５３％のものである。
【００５４】
また、第二スクリュー部は、バレルの開口部から他端に向かって少なくとも一ピッチ以上の幅で構成されている。一方、比較例１のスクリューは、従来の二軸押出機に採用されるものであり、スクリュー軸に対して螺旋形状に形成された“一条”のスクリュー羽根部のみで構成されたものである。
【００５５】
上記実施例１及び比較例１のスクリュー以外の構成、すなわち、整流板、濾過網、及び口金等は全て同一のものとした。また、押出成形される成形材料や押出条件等のその他パラメータも全て同一とした。
【００５６】
（２）押出成形時の圧力
押出成形時における二軸押出機の押出圧力Ｔ１、口金前位置Ｔ２の（第二空間の圧力）、濾過網前位置Ｔ３の圧力（第一空間の圧力）の最大値及び最小値をそれぞれ測定した。得られた測定値から平均の値、及び、比較例１と実施例１との差（＝比較例１−実施例１）を求めた。更に、平均の値については、比較例１に対する実施例１の減少率を算出した。その結果を下記表１に示す。
【００５７】
（３）真円度の測定
押出成形されたハニカム成形体２００の成形体前部Ｄ１、成形体中央部Ｄ２、及び成形体後部Ｄ３（図４参照）の各位置における最大径及び最小径をそれぞれ測定した。ここで、真円度とは、円形形体の幾何学的円からの差（狂い）の大きさを表すものであり、一般に、二つの幾何学円で挟んだときの同心二円の間隔が最小となる二つの円の半径差を示している最大の直径と最小の直径の差で示している。
【００５８】
本実施例では、既存の真円度計測機を用い、ノギスでハニカム構造体の端面における最大径と最小径の測定を行い、その差を求めている。得られた測定値から平均の値、及び、比較例１と実施例１との差（＝比較例１−実施例１）を求めた。更に、平均の値については、比較例１に対する実施例１の減少率を算出した。その結果を下記表１に示す。
【００５９】
【表１】
0006373886.tif 000002
【００６０】
表１に示す通り、二軸押出機の押出圧力Ｔ１、及び各位置Ｔ２，Ｔ３における圧力の測定において、比較例１に対して実施例１がいずれも圧力の値が減少することが示された。すなわち、先端に二条スクリュー羽根部を有するスクリューの使用によって、押出成形時の圧力を軽減することができることが確認された。これにより、ハニカム成形体の寸法精度の安定性に寄与することができると考えられる。
【００６１】
また、真円度に関しても、比較例１に対して実施例１の値が小さくなることが確認された（成形体前部Ｄ１の最小値を除く。）。すなわち、実施例１のスクリューの使用によって、得られるハニカム成形体の寸法精度がより安定することが確認された。
【産業上の利用可能性】
【００６２】
本発明の二軸押出機は、ハニカム成形体を押出成形する押出成形工程において好適に利用することができる。
【符号の説明】
【００６３】
１，１００：二軸押出機、２，１０１：スクリュー、３，１０２：開口部、４，１０３：バレル、５，１０４：整流板、６，１０５：濾過網、７：第一スクリュー部（スクリュー）、７ａ：第一スクリュー軸、７ｂ，８ｂ：軸表面、７ｃ：一条スクリュー羽根部、８：第二スクリュー部、８ａ：第二スクリュー軸、８ｃ：二条スクリュー羽根部、８ｄ：羽根周縁、９，１０６：口金、１０：スリット、１０ａ：スリット底端、１１，１０７：貫通孔、１２，１１０：第一空間、１３，１１１：第二空間、１４，１０９：駆動装置、１５，１０８：材料投入部、１１２：スクリュー軸、１１３：スクリュー羽根部、２００：ハニカム成形体、Ａ１，Ａ２，Ａ３，Ａ４：流れの方向、Ｃ１，Ｃ２：円、Ｄ１：成形体前部、Ｄ２：成形体中央部、Ｄ３：成形体後部、Ｆ：押出方向、Ｈ１：スリット深さ、Ｈ２：羽根高さ、Ｈ３：スクリュー径、Ｌ１，Ｌ２：リード、Ｐ１，Ｐ２：ピッチ、Ｒ：領域、Ｔ１：押出圧力、Ｔ２：口金前位置、Ｔ３：濾過網前位置、Ｗ１：スリット幅、Ｗ２：スリットピッチ、θ：スリット間角度。
【図１】
0006373886.tif 000003
【図２】
0006373886.tif 000004
【図３】
0006373886.tif 000005
【図４】
0006373886.tif 000006
【図５】
0006373886.tif 000007
【図６】
0006373886.tif 000008